(57)【要約】【課題】開閉体の全部又は一部を耐火性シートなどの軟性閉鎖手段で形成された開閉装置であっても軟性閉鎖手段を部分的に交換でき、また、その開口部の形状に合わせて軟性閉鎖手段を適宜組み合わせることによって開閉体を構成することができるようにする。【解決手段】シート状の軟性部材を含んで形成されるパーツ部材として、基本的な寸法のパーツ部材を複数種類を準備しておき、これらの各パーツ部材を適宜組み合わせることによって、開口部の寸法に応じた開閉体を構成できるようにした。パーツ部材として、開口部の大きさに合わせてある程度の大きさで形成された基本カーテン部材を用意しておき、この基本カーテン部材に、着脱自在な付加部材として、例えば、吊り元部材、座板部材、抜け止め部材などを設けるようにした。【選択図】図１
2008174972.tif 000002
【特許請求の範囲】
【請求項１】
開口部周縁部に沿って設けられた案内手段を移動することによって前記開口部を開閉する開閉体手段を、シート状の軟性部材を含んで形成される複数のパーツ部材を着脱自在に組み合わせることによって構成したことを特徴とする開閉装置。
【請求項２】
請求項１に記載の開閉装置において、前記パーツ部材の少なくとも一部は、シート状の軟性部材にて形成される基本カーテン部材と、前記基本カーテン部材に対して着脱自在な付加部材にて構成されていることを特徴とする開閉装置。
【請求項３】
請求項２に記載の開閉装置において、前記付加部材は、前記基本カーテン部材に対して選択的に着脱又は増減自在となっていることを特徴とする開閉装置。
【請求項４】
請求項２に記載の開閉装置において、前記基本カーテン部材は、前記付加部材と同等又はこれ以上の面積を有していることを特徴とする開閉装置。
【請求項５】
請求項２に記載の開閉装置において、前記付加部材は、硬質な部材を含んで構成されていることを特徴とする開閉装置。
【請求項６】
請求項２に記載の開閉装置において、前記付加部材は、前記基本カーテン部材に対して接続手段にて着脱又は増減自在となっていることを特徴とする開閉装置。 
【発明の詳細な説明】
【技術分野】
【０００１】
本発明は、ビル、工場、倉庫などの建物を含む構造物躯体の開口部などをシート状の軟性部材を含んで構成された開閉体手段を用いて仕切るように構成された開閉装置に係り、特に開閉体手段を開口部に設置する際の利便性を高めた開閉装置に関する。
【背景技術】
【０００２】
建物内に防災区画の形成のために設置されるシャッター装置には、天井裏に配置される巻取軸から繰り出され、巻き取られることにより開閉動作を行うシャッターカーテンの全部又は一部を耐火性シートなどの軟性閉鎖手段で形成したものがある。シャッターカーテンの全部を耐火性シートなどの軟性閉鎖手段で形成したものとしては、特許文献１に示すような開閉装置がある。また、シャッターカーテンの一部を耐火性シートなどの軟性閉鎖手段で形成した開閉装置としては、特許文献２に示すようなものがある。また、シャッターカーテンの全部を耐火性シートなどの軟性閉鎖手段で形成した開閉装置には、防火、防煙のため閉じ動作が主要な動作になっているシャッターカーテン自体に開閉自在な閉鎖部材で閉鎖される出入口を設け、火災時等の非常時にこの出入口から脱出できるようにしているものもある。
【０００３】
【特許文献１】特開２００１−８２０５６号公報
【特許文献２】特開平１２−３４８７３号公報
【発明の開示】
【発明が解決しようとする課題】
【０００４】
上述のような開閉動作を行うシャッターカーテンの全部又は一部を耐火性シートなどの軟性閉鎖手段で形成する場合、開閉動作を行なう開口部の寸法に応じて一品一様のオーダーメイドで耐火性シートを加工して開閉体を製作することが行なわれており、例えば製作過程で製作ミス（寸法ミス）が発生したり、損傷したりした場合には、耐火性シートを全て交換するなどにて対応せざるを得なかった。特に、開閉体である耐火性シートは開閉装置における大部分を占めているため、交換やリフォームなどを行なう場合、同様に全て交換する必要が生じていた。
この発明は、このような点に鑑み、開閉体手段の全部又は一部が耐火性シートなどの軟性部材を含んで形成された開閉装置であっても軟性部材を部分的に交換することのできる開閉装置を提供することを目的とする。
また、この発明は、開閉体手段の全部又は一部が耐火性シートなどの軟性部材を含んで形成された開閉装置で開口部を仕切る場合に、その開口部の形状に合わせて軟性部材を適宜組み合わせることによって開閉体手段を構成することのできる開閉装置を提供することを目的とする。
【課題を解決するための手段】
【０００５】
本発明に係る開閉装置の第１の特徴は、開口部周縁部に沿って設けられた案内手段を移動することによって前記開口部を開閉する開閉体手段を、シート状の軟性部材を含んで形成される複数のパーツ部材を着脱自在に組み合わせることによって構成したことにある。
【０００６】
ビル、住宅、工場、倉庫等の建物などの構造物における、出入口や窓部、あるいは構造物内部の通路や空間などの開口部などを開閉移動する開閉装置として、開閉体部分を耐火性シートなどの軟性閉鎖手段で形成する場合、開閉動作を行なう開口部の寸法に応じて一品一様のオーダーメイドで耐火性シートなどを加工して作成しているのが現状である。開口部の形状や寸法は様々であるが、ある程度の基本的な寸法で構成されているのがほとんどである。そこで、この発明では、例えばシート状の軟性部材を含んで形成されるパーツ部材として、基本的な寸法のパーツ部材を複数種類を準備しておき、これらの各パーツ部材を適宜組み合わせることによって、開口部の寸法に応じた開閉体を構成することができるようにした。
【０００７】
本発明に係る開閉装置の第２の特徴は、前記第１の特徴に記載の開閉装置において、前記パーツ部材の少なくとも一部は、シート状の軟性部材にて形成される基本カーテン部材と、前記基本カーテン部材に対して着脱自在な付加部材にて構成されていることにある。これは、パーツ部材として、開口部の大きさに合わせてある程度の大きさで形成された基本カーテン部材を用意しておき、この基本カーテン部材に、着脱自在な付加部材として、例えば、吊り元部材、座板部材、抜け止め部材などを設けるようにしたものである。これによって、開口部の大きさに応じて基本カーテン部材を決定することによって、それに合わせて吊り元部材、座板部材、抜け止め部材などを順次取り付けることによって開口部の寸法に応じた開閉体を構成することができる。
【０００８】
本発明に係る開閉装置の第３の特徴は、前記第２の特徴に記載の開閉装置において、前記付加部材は、前記基本カーテン部材に対して選択的に着脱又は増減自在となっていることにある。これは、基本カーテン部材に対する付加部材として、例えば吊り元部材、座板部材、抜け止め部材などが存在するので、これらの各付加部材を開閉装置の仕様に応じて自由に着脱又は増減することによって、開口部の寸法に応じた開閉体を構成することができるようにしたものである。なお、着脱又は増減の方法としては、例えばファスナーなどの接続手段がある。
【０００９】
本発明に係る開閉装置の第４の特徴は、前記第２の特徴に記載の開閉装置において、前記基本カーテン部材は、前記付加部材と同等又はこれ以上の面積を有していることにある。これは、基本カーテン部材の大きさ、すなわち開口部に占める面積が一番大きいことを意味し、その基本カーテン部材に対して種々の付加部材が追加され、開口部の寸法に応じた開閉体が構成される。
【００１０】
本発明に係る開閉装置の第５の特徴は、前記第２の特徴に記載の開閉装置において、前記付加部材は、硬質な部材を含んで構成されていることにある。これは、付加部材として、例えば吊り元部材、座板部材、抜け止め部材などがあるが、これらの付加部材の中には、一部に硬質の部材、例えば、座板部材の着床部や抜け止め部材のボルトやナット等を含んで構成されたものがあることを意味している。
【００１１】
本発明に係る開閉装置の第６の特徴は、前記第２の特徴に記載の開閉装置において、前記付加部材は、前記基本カーテン部材に対して接続手段にて着脱又は増減自在となっていることにある。これは、基本カーテン部材に対する付加部材の着脱又は増減を接続手段を用いて行なうことに言及している。
【発明の効果】
【００１２】
この発明によれば、開閉体手段の全部又は一部が耐火性シートなどの軟性部材を含んで形成された開閉装置であっても軟性部材を部分的に交換することができるという効果がある。
また、この発明によれば、開閉体手段の全部又は一部が耐火性シートなどの軟性部材を含んで形成された開閉装置で開口部を仕切る場合に、その開口部の形状に合わせて軟性部材を適宜組み合わせることによって開閉体手段を構成することができるという効果がある。
【発明を実施するための最良の形態】
【００１３】
以下、本発明の一実施の形態を添付図面を参照して説明する。図１は、この発明の第１の実施の形態に係る開閉装置の概略構成を示す図である。開閉装置１０は、開口部の両側壁部（周縁部）に相対して垂直状に固定された案内手段であるガイドレール２，３と、これらのガイドレール２，３に沿って移動自在、すなわち昇降自在に設けられ、開口部を開閉する開閉体４と、ガイドレール２，３の上部のシャッターケース６内に設けられ、開閉体４を昇降させる開閉機５とを有して構成されている。
【００１４】
本明細書中において、開口部とは、建物等の構造物の出入口、非常口、通路等の開口部及び、防火・防煙上の防災区画として閉鎖する必要がある箇所の開口部の総称として用いる。また、ガイドレール２，３は、互いに対向する対向面であって開閉体４の移動方向に沿って開口された挿入口をそれぞれ有し、この相対する挿入口には開閉体４の両側端部に形成された挿入部がそれぞれ昇降自在に挿入されている。
【００１５】
開閉体４は、例えば変形可能なシート部材又は弾性部材にて形成され、この部材は、開閉装置１０の設置箇所または用途に応じて適宜選択される。たとえば、開閉装置１０が防災区画として区画を形成するために閉鎖する必要がある箇所等で防火・防煙の用途として使用される場合や避難口の閉鎖用として使用される場合には、たとえば、ガラスクロス、シリカクロスなどの不燃性生地等にて形成されることが好ましい。また、開閉装置１０が、防火・防煙の用途以外の箇所、たとえば、保冷庫、工場等の出入口等で気密保持の用途として使用される場合や人または物品が通過する出入口等の閉鎖用として使用される場合には、たとえば、塩化ビニール、ポリエステル等の合成樹脂製シート、不燃性を有しない生地、スポンジ等の発泡性合成樹脂等にて成型された弾性部材等にて形成されることが好ましい。
【００１６】
開閉機５は、開閉体４の上部付近に位置して開口部の天井部内に配設固定されたシャッターケース６内に設けられている。シャッターケース６内には、回転自在に軸架された巻取ドラム７を有する巻取軸８が設けられている。開閉機５は、回転駆動させる正逆回転自在のモータやブレーキ等から構成され、このモータの回転軸に設けられた主動スプロケット５１と、巻取軸８の回転軸に設けられた従動スプロケット５２とがチェーン５３によって連結され、駆動力が伝達されるようになっている。従って、開閉機５の回転駆動力はチェーン５３を介して巻取軸８側に伝達され、開閉機５が回転すると、チェーン５３を介して巻取軸８が回転し、開閉体４の開閉動作が制御されるようになっている。
【００１７】
シャッターケース６は、下面に沿って開口した案内口（図示せず）を有し、この案内口の両端部にガイドレール２，３の上端部がそれぞれ挿入固定されている。また、シャッターケース６の案内口は、ガイドレール２，３の挿入口に連通して開口されると共に開口部に連通して開口しており、この案内口に案内されて開閉体４が昇降移動されるようになっている。
【００１８】
巻取ドラム７を有する巻取軸８は、シャッターケース６内に水平状に配置され、その両端部がシャッターケース６内の両側部に設けられた図示しない軸受体にて回転自在に軸架されている。また、巻取軸８の一端部にこの巻取軸８を回転させる従動スプロケット５２が固定的に設けられている。
【００１９】
開閉機５は、シャッターケース６内に固定され、この開閉機５の出力軸には、従動スプロケット５２に対向した主動スプロケット５１が固定され、この主動スプロケット５１と従動スプロケット５２との間には開閉機５の出力軸の回転を従動スプロケット５２に伝達するチェーン（無端回行体）５３が回行自在に掛け回されている。なお、開閉機５は図示しない制御手段により制御される。
【００２０】
図２は、図１の開閉体の詳細を示す図である。本実施の形態の開閉体は、各種用途に応じて適宜選択されるものであって、予め準備された３つのパーツ部材（吊り元部材４１、基本カーテン部材４２、座板部材４３）の組み合わせによって構成されている。基本カーテン部材４２は、所定の大きさ（面積）の開口部を閉鎖する閉鎖面となるように予め設計されたものである。この基本カーテン部材４２を形成するシート部材は、一枚仕立てのものである。なお、複数枚仕立てのもので、縫い合わせて全体として一枚仕立てに形成したものであっても、更には縫い合わせずに複数枚仕立てで形成されたものであってもよい。
【００２１】
吊り元部材４１は、基本的にはシート部材から構成され、基本カーテン部材４２の上端部と接続可能な接続手段（例えばファスナやボタンなど）をその下端部に有し、上端部は巻取ドラム７の周面に固定的に取り付けられるように構成されている。座板部材４３は、基本カーテン部材４２の下端部と接続可能な接続手段（例えばファスナやボタンなど）を備えたシート部材を上端部に有し、その下端部には開口部の床面に着床する着床部４３１を備えている。開閉体４の下端部に設けられた着床部４３１は、開口部の床面に沿って隙間なく着床され、気密性を確保できるように構成されている。なお、基本カーテン部材４２の両側端部には、ガイドレール２，３の挿入口内に挿入する挿入部がそれぞれ形成されていてもよい。
【００２２】
なお、開閉機５は、開閉体４の座板部材４３の着床部４３１が床面に着床する着床位置すなわち開口部が全閉された状態に合わせて予め設定された所定の回転数又は所定の回転時間だけ回転して自動的に停止するようになっている。これによって、開口部が開閉体４によって全閉されることになる。このように開閉機５の回転数や回転時間を検出することによって開閉体の着床等の動作限度を規定するセンサー等として機能させている。
【００２３】
開閉体４が下降する位置の開口部に障害物等が存在した場合には、その障害物等が開閉体４の座板部材４３の着床部４３１に当接した時点で障害物を感知して開閉体４の閉鎖動作を停止するようにしてもよい。なお、開閉体４は軟性体で形成されているので、障害物に当接しても容易に変形し、障害物等に対する衝撃を緩衝することができる。また、開閉体４が変形して障害物等に対する衝撃を吸収緩衝することにより、障害物等及び開閉体４が衝撃や損傷を受けることは防止される。
【００２４】
図３は、図２の吊り元部材４１、基本カーテン部材４２及び座板部材４３がそれぞれ接続手段を介して接続されることによって一体的に構成された開閉体を取り出して示す図である。従来の開閉体は、吊り元部材４１、基本カーテン部材４２及び座板部材４３をそれぞれ構成するシート部材が一枚仕立てで形成されており、これに着床部４３１が接続される構成となっているが、この実施の形態に係る開閉体は、分離可能なそれぞれのパーツで構成されている点に特徴がある。これによって、座板部材が開口部の床面に着床した場合に高い気密性を確保できなてくもよい場合には、標準的な座板部材を接続することによって対応可能となり、また、障害物感知センサの付いた座板部材を接続することによって障害物感知可能な開閉体を構成することができるようになる。
【００２５】
図４は、本発明に係る開閉装置の開閉体の第１の変形例を示す図である。この第１の変形例の開閉体は、予め準備された５つのパーツ部材（吊り元部材４１，基本カーテン部材４２Ａ、座板部材４３、抜け止め部材４４，４５）の組み合わせによって構成されている。基本カーテン部材４２Ａは、抜け止め部材４４，４５を設ける分だけ、図１〜図３の基本カーテン部材４２よりも横幅が小さくなっている。抜け止め部材４４，４５は、開閉体４Ａの左右両端に取り付けられ、これらの左右端部がガイドレール２，３から抜け出るのを防止するものであり、ボルトやナット等を備えたものである。吊り元部材４１及び座板部材４３は、図２のものと同じである。
【００２６】
図５は、図４の吊り元部材４１、基本カーテン部材４２、座板部材４３及び抜け止め部材４４，４５がそれぞれ接続手段を介して接続されることによって一体的に構成された開閉体を示す図である。図５の開閉体４Ａはそのまま図１の開閉装置の開閉体として利用することができる。また、図２及び図３の基本カーテン部材４２を基本カーテン部材４２Ａ及び抜け止め部材４４，４５に交換するだけで、抜け止め防止機能を有する開閉体を容易に構成することができる。
【００２７】
図６は、本発明に係る開閉装置の開閉体の第２の変形例を示す図である。この第２の変形例の開閉体は、図１〜図５に示した各パーツ部材を組み合わせて図１の開口部よりも横方向に約２倍程度幅の広い開口部を閉鎖することのできる開閉体を構成したものである。具体的には、図６の開閉体４Ｂは９つのパーツ部材で構成されている。各パーツ部材は、吊り元部材４１，４１１、基本カーテン部材４２，４２Ａ、座板部材４３，４３２、抜け止め部材４４，４５、塞ぎ部材４６から構成されている。吊り元部材４１，４１１は、図１〜図５の吊り元部材と同じものである。基本カーテン部材４２は、図１〜図３の基本カーテン部材と同じものである。基本カーテン部材４２Ａは、図４及び図５の基本カーテン部材と同じものである。座板部材４３，４３２は、図１〜図５の座板部材と同じものである。抜け止め部材４４，４５は、図４及び図５の抜け止め部材と同じものである。塞ぎ部材４６は、座板部材４３，４３１の接続箇所に形成される空間を塞ぐものである。このように、図１〜図５に記載されたパーツ部材を適宜組み合わせることによって、開口部の形状に合わせて任意の大きさの開閉体を構成することができる。この変形例では採用した新しいパーツ部材は塞ぎ部材４６だけであり、残りはパーツ部材は図１〜図５のものを援用することができ、パーツ部材を新たに製作する手間が省ける。
【００２８】
図７は、本発明に係る開閉装置の開閉体の第３の変形例を示す図である。この第３の変形例の開閉体は、図４及び図５に示した各パーツ部材のうち基本カーテン部材４２Ａを通り抜け可能な出入口部７１と、この出入口部７１を開閉自在に閉鎖する閉鎖部材７２とを備えた基本カーテン部材４２Ｃに交換したものである。具体的には、図７の開閉体４Ｃは、５つのパーツ部材で構成されている。各パーツ部材は、吊り元部材４１、基本カーテン部材４２Ｃ，座板部材４３、抜け止め部材４４，４５から構成されている。吊り元部材４１は、図１〜図５の吊り元部材と同じものである。座板部材４３は、図１〜図５の座板部材と同じものである。抜け止め部材４４，４５は、図４及び図５の抜け止め部材と同じものである。基本カーテン部材４２Ｃは、図４及び図５の基本カーテン部材４２Ａに出入口部７１と閉鎖部材７２が形成された新しいパーツ部材である。このように、図１〜図５に記載されたパーツ部材と新たな基本カーテン部材４２Ｃとを適宜組み合わせることによって、出入口部付の開閉体を構成することができる。
【００２９】
図８は、図７の各パーツ部材である吊り元部材４１、基本カーテン部材４２Ｃ，座板部材４３、抜け止め部材４４，４５がそれぞれ接続手段を介して接続されることによって一体的に構成された開閉体を示す図である。図８の開閉体４Ｃはそのまま図１の開閉装置の開閉体として利用することができる。また、図４及び図５の基本カーテン部材４２Ａを基本カーテン部材４２Ｃに交換するだけで、通り抜け可能な出入口部７１を備えた開閉体を容易に構成することができる。なお、基本カーテン部材４２Ｃにおいて、出入口部７１の上端を含むこれよりも下方側に接続手段を設けるようにしても良い。これによって、障害物等に当接して基本カーテン部材が損傷した場合でも交換部分を最小限に抑えることができる。
【００３０】
図９は、本発明に係る開閉装置の開閉体の第３の変形例を示す図である。この第３の変形例の開閉体は、図１〜図８に示した各パーツ部材を組み合わせて図１の開口部よりも横方向に広い開口部を閉鎖することができ、さらに基本カーテン部材を通り抜け可能な出入口部を備えた開閉体としたものである。具体的には、図９の開閉体４Ｄは、図６の開閉体４Ｂと同じく９つのパーツ部材で構成されている。各パーツ部材は、吊り元部材４１，４１１、基本カーテン部材４２，４２Ｃ、座板部材４３，４３２、抜け止め部材４４，４５、塞ぎ部材４６から構成されている。吊り元部材４１，４１１は、図１〜図５の吊り元部材と同じものである。基本カーテン部材４２は、図１〜図３の基本カーテン部材と同じものである。基本カーテン部材４２Ｃは、図７及び図８の基本カーテン部材と同じものである。座板部材４３，４３２は、図１〜図５の座板部材と同じものである。抜け止め部材４４，４５は、図４及び図５の抜け止め部材と同じものである。塞ぎ部材４６は、座板部材４３，４３１の接続箇所に形成される空間を塞ぐものである。このように、図１〜図８に記載されたパーツ部材を適宜組み合わせることによって、開口部の形状に合致した任意の大きさの開閉体であって、通り抜け可能な出入口部を備えた開閉体を容易に構成することができる。
【００３１】
上述の実施の形態では、開閉機のモータを制御して開閉体を昇降する場合について説明したが、これに限らず、開閉体は手動操作により昇降させるようにしてもよく、開閉体の自重により下降させるようにしてもよい。
【００３２】
また、開閉体の下降を停止させる停止手段は適宜選択するが、たとえば、火災等で停電した場合に、開閉機のブレーキが解放されて下降する開閉体の動作に伴って回転する巻取軸や開閉機の出力軸等の所定の回転数を機械的手段により検知し、機械的に開閉機のブレーキを復帰させて開閉体の下降を停止させるようにしてもよく、また、ストッパー機構として、たとえば、ラッチとラッチ受けとを開閉体の剛性閉鎖部とガイドレールとの互いに対向する位置に設け、開閉体が所定の位置に下降したときにラッチ受けにラッチを係合させて開閉体の下降を停止させるようにしてもよい。すなわち、予め設定された下降停止位置に開閉体が下降したときに開閉体を停止させる手段であればよく、開閉体の停止手段及び下降駆動手段はいずれでもよい。
【００３３】
上述の実施の形態では、開口部は開閉体を下降させて閉鎖する場合について説明したが、これに限らず、開閉体は正面からみて左右方向の一方側から他方側に向かって横移動、または、前後方向の一方側から他方側に向かって水平移動して開口部を閉鎖するようにしてもよい。
上述の実施の形態では、予め寸法の決まったパーツ部材を組み合わせる場合について説明したが、切断することによって寸法を種々変更可能な調整用カーテンパーツ部材を設け、予め設けられたパーツ部材で対応することができない場合には、この調整用カーテンパーツ部材を適宜切断して基本カーテン部材などに接続するなどして適当な大きさの開閉体を構成するようにしてもよい。また、上述の実施の形態では、各パーツの接続手段としてファスナを例に説明したが、これ以外の例えば、接着剤や接着テープ、ボタン、ボルトナット、ステープル等の接続手段を用いてもよい。また、このような開閉体を構成する場合、その全体を同一の接続手段で構成してもよいし、同一でない異なる接続手段を用いて構成するようにしても良い。
抜け止め部材と基本カーテン部材の接続部分は、ガイドレール内に呑み込まれない位置とする。これによって、障害物などによって損傷した場合の交換が容易となる。また、吊り元部材と基本カーテン部材との接続部分は、開閉体が全閉時に巻取軸に巻き取られない位置にあるものとする。この場合も同様に障害物などによって損傷した場合の交換が容易となる。
【図面の簡単な説明】
【００３４】
【図１】この発明の第１の実施の形態に係る開閉装置の概略構成を示す図である。
【図２】図１の開閉体の詳細を示す図である。
【図３】図２の吊り元部材４１、基本カーテン部材４２及び座板部材４３がそれぞれ接続手段を介して接続されることによって一体的に構成された開閉体を取り出して示す図である。
【図４】本発明に係る開閉装置の開閉体の第１の変形例を示す図である。
【図５】図４の吊り元部材４１、基本カーテン部材４２、座板部材４３及び抜け止め部材４４，４５がそれぞれ接続手段を介して接続されることによって一体的に構成された開閉体を示す図である。
【図６】本発明に係る開閉装置の開閉体の第２の変形例を示す図である。
【図７】本発明に係る開閉装置の開閉体の第３の変形例を示す図である。
【図８】図７の各パーツ部材である吊り元部材４１、基本カーテン部材４２Ｃ，座板部材４３、抜け止め部材４４，４５がそれぞれ接続手段を介して接続されることによって一体的に構成された開閉体を示す図である。
【図９】本発明に係る開閉装置の開閉体の第３の変形例を示す図である。
【符号の説明】
【００３５】
１０…開閉装置
２，３…ガイドレール
４，４Ａ，４Ｂ…開閉体
５…開閉機
６…シャッターケース
７…巻取ドラム
８…巻取軸
５１…主動スプロケット
５２…従動スプロケット
５３…チェーン
４１…吊り元部材
４２，４２Ａ，４２Ｂ，４２Ｃ…基本カーテン部材
４３，４３２…座板部材
４３１…着床部
４４，４５…抜け止め部材
４６…塞ぎ部材
７１…出入口部
７２…閉鎖部材 
【図１】
2008174972.tif 000003
【図２】
2008174972.tif 000004
【図３】
2008174972.tif 000005
【図４】
2008174972.tif 000006
【図５】
2008174972.tif 000007
【図６】
2008174972.tif 000008
【図７】
2008174972.tif 000009
【図８】
2008174972.tif 000010
【図９】
2008174972.tif 000011